【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
画像形成装置と端末とを含む情報処理システムであって、
前記画像形成装置は、
前記画像形成装置が備える所定の機能に関する設定を受け付けるための第一のウェブページを前記端末に提供する第一の提供手段と、
前記端末で表示された前記第一のウェブページ上でユーザから受け付けた第一の設定を反映した第二のウェブページを前記端末に提供する第二の提供手段と、
前記端末からの要求に基づいて前記第一の設定で前記所定の機能を実行する実行手段と、
を有し、
前記端末は、
前記第一の提供手段で提供される前記第一のウェブページを表示する第一の表示制御手段と、
前記第一の表示制御手段で表示した前記第一のウェブページ上で前記ユーザから前記第一の設定を受け付けると前記第二のウェブページを前記画像形成装置に要求する第一の要求手段と、
前記第一の要求手段による要求に基づいて前記第二の提供手段で提供される前記第二のウェブページを表示する第二の表示制御手段と、
前記第二の表示制御手段で表示した前記第二のウェブページ上で前記ユーザから所定の操作を受け付けると、前記第一の設定で前記所定の機能を実行することを前記画像形成装置に要求する第二の要求手段と、
前記第二のウェブページを要求するための情報を保存する保存手段と、
前記保存手段で保存した情報に基づいて前記第二のウェブページを要求する第三の要求手段を有する
ことを特徴とする情報処理システム。
【請求項２】
前記第二のウェブページを要求するための情報はＵＲＬ情報であることを特徴とする請求項１に記載の情報処理システム。
【請求項３】
前記第三の要求手段は、前記保存手段で保存した情報に基づいて前記第二のウェブページを他の画像形成装置に要求するためのＵＲＬを生成し、当該ＵＲＬを用いて前記第二のウェブページを前記他の画像形成装置に要求することを特徴とする請求項１または２に記載の情報処理システム。
【請求項４】
前記第三の要求手段は、ＵＲＬに含まれる宛先情報を前記他の画像形成装置の情報に書き換えることで前記第二のウェブページを前記他の画像形成装置に要求するためのＵＲＬを生成することを特徴とする請求項３に記載の情報処理システム。
【請求項５】
前記他の画像形成装置の情報はＩＰアドレスであることを特徴とする請求項４に記載の情報処理システム。
【請求項６】
前記所定の機能はプリント機能、スキャン機能、コピー機能の少なくともいずれかであることを特徴とする請求項１から５のいずれか一項に記載の情報処理システム。
【請求項７】
前記画像形成装置は、前記端末で表示された前記第一のウェブページ上でユーザから受け付けた操作に応じて異なるウェブページを提供することを特徴とする請求項１から６のいずれか一項に記載の情報処理システム。
【請求項８】
前記ＵＲＬ情報には前記第一の設定を示す文字列が含まれることを特徴とする請求項２から７のいずれか一項に記載の情報処理システム。
【請求項９】
所定の機能を有する情報処理装置と通信する端末であって、
前記情報処理装置から提供される第一のウェブページを表示する第一の表示制御手段と、
前記第一の表示制御手段で表示した前記第一のウェブページ上でユーザから第一の設定を受け付けると、第二のウェブページを前記情報処理装置に要求する第一の要求手段と、
前記第一の要求手段による要求に基づいて前記情報処理装置から提供される前記第二のウェブページを表示する第二の表示制御手段と、
前記第二の表示制御手段で表示した前記第二のウェブページ上で前記ユーザから所定の操作を受け付けると、前記第一の設定で前記所定の機能を実行することを前記情報処理装置に要求する第二の要求手段と、
前記第二のウェブページを要求するための情報を保存する保存手段と、
前記保存手段で保存した情報に基づいて前記第二のウェブページを要求する第三の要求手段を有する
ことを特徴とする端末。
【請求項１０】
情報処理装置と通信する画像形成装置であって
前記画像形成装置が備える所定の機能に関する設定を受け付けるための第一のウェブページを前記情報処理装置に提供する第一の提供手段と、
前記情報処理装置で表示された前記第一のウェブページ上でユーザから受け付けた第一の設定を反映した第二のウェブページを前記情報処理装置に提供する第二の提供手段と、
前記情報処理装置からの要求に基づいて前記第一の設定で前記所定の機能を実行する実行手段と、
を有することを特徴とする画像形成装置。
【請求項１１】
画像形成装置と端末とを含む情報処理システムが実行する情報処理方法であって、
前記画像形成装置が備える所定の機能に関する設定を受け付けるための第一のウェブページを前記端末に提供する第一の提供工程と、
前記第一の提供工程で提供される前記第一のウェブページを表示する第一の表示制御工程と、
前記第一の表示制御工程で表示した前記第一のウェブページ上でユーザから第一の設定を受け付けると前記第二のウェブページを前記画像形成装置に要求する第一の要求工程と、
前記端末で表示された前記第一のウェブページ上で前記ユーザから受け付けた第一の設定を反映した第二のウェブページを前記端末に提供する第二の提供工程と、
前記第一の要求工程による要求に基づいて前記第二の提供工程で提供される第二のウェブページを表示する第二の表示制御工程と、
前記第二の表示制御工程で表示した前記第二のウェブページ上で前記ユーザから所定の操作を受け付けると、前記第一の設定で前記所定の機能を実行することを前記画像形成装置に要求する第二の要求工程と、
前記端末からの要求に基づいて前記第一の設定で前記所定の機能を実行する実行工程と、
前記第二のウェブページを要求するための情報を保存する保存工程と、
前記保存工程で保存した情報に基づいて前記第二のウェブページを要求する第三の要求工程を有する
ことを特徴とする情報処理方法。
【請求項１２】
所定の機能を有する情報処理装置と通信する端末が実行する制御方法であって、
前記情報処理装置から提供される第一のウェブページを表示する第一の表示制御工程と、
前記第一の表示制御工程で表示した前記第一のウェブページ上でユーザから第一の設定を受け付けると、第二のウェブページを前記情報処理装置に要求する第一の要求工程と、
前記第一の要求工程による要求に基づいて前記情報処理装置から提供される前記第二のウェブページを表示する第二の表示制御工程と、
前記第二の表示制御工程で表示した前記第二のウェブページ上で前記ユーザから所定の操作を受け付けると、前記第一の設定で前記所定の機能を実行することを前記情報処理装置に要求する第二の要求工程と、
前記第二のウェブページを要求するための情報を保存する保存工程と、
前記保存工程で保存した情報に基づいて前記第二のウェブページを要求する第三の要求工程を有する
ことを特徴とする制御方法。
【請求項１３】
情報処理装置と通信する画像形成装置が実行する制御方法であって
前記画像形成装置が備える所定の機能に関する設定を受け付けるための第一のウェブページを前記情報処理装置に提供する第一の提供工程と、
前記情報処理装置で表示された前記第一のウェブページ上でユーザから受け付けた第一の設定を反映した第二のウェブページを前記情報処理装置に提供する第二の提供工程と、
前記情報処理装置からの要求に基づいて前記第一の設定で前記所定の機能を実行する実行工程と、
を有することを特徴とする制御方法。
【請求項１４】
請求項１から１０のいずれか１項に記載の各手段としてコンピュータを実行させるためのプログラム。
【手続補正２】
【補正対象書類名】明細書
【補正対象項目名】０００７
【補正方法】変更
【補正の内容】
【０００７】
上記課題を解決するために、本発明の情報処理システムは、画像形成装置と端末とを含む情報処理システムであって、前記画像形成装置は、前記画像形成装置が備える所定の機能に関する設定を受け付けるための第一のウェブページを前記端末に提供する第一の提供手段と、前記端末で表示された前記第一のウェブページ上でユーザから受け付けた第一の設定を反映した第二のウェブページを前記端末に提供する第二の提供手段と、前記端末からの要求に基づいて前記第一の設定で前記所定の機能を実行する実行手段と、を有し、前記端末は、前記第一の提供手段で提供される前記第一のウェブページを表示する第一の表示制御手段と、前記第一の表示制御手段で表示した前記第一のウェブページ上で前記ユーザから前記第一の設定を受け付けると前記第二のウェブページを前記画像形成装置に要求する第一の要求手段と、前記第一の要求手段による要求に基づいて前記第二の提供手段で提供される前記第二のウェブページを表示する第二の表示制御手段と、前記第二の表示制御手段で表示した前記第二のウェブページ上で前記ユーザから所定の操作を受け付けると、前記第一の設定で前記所定の機能を実行することを前記画像形成装置に要求する第二の要求手段と、前記第二のウェブページを要求するための情報を保存する保存手段と、前記保存手段で保存した情報に基づいて前記第二のウェブページを要求する第三の要求手段を有する、ことを特徴とする。